(57)【要約】【課題】洗濯機から排出された排水が洗濯機から漏洩した排水を排出する目皿を通って逆流することを防止し、排水の逆流が収まった後に洗濯機から漏洩した排水を目皿から安定的に排出することができる流路ユニットを提供する。【解決手段】流路ユニットは、排水の貯留部を備えた椀と、洗濯機から排出された排水を貯留部に排出する流路筒と、洗濯機から漏洩した排水を流路筒との間から貯留部に排出する封水筒を備えた排水トラップに用いる。流路ユニットは、流路筒と封水筒との間に配置され、洗濯機から漏洩した排水を貯留部に排出する開口を備えた目皿と、目皿と貯留部との間に移動可能に配置され、貯留部に貯留された排水が目皿に向かって逆流したときに上昇して開口を封止するフロートと、互いに対向する目皿およびフロートの少なくともいずれか一方の側に備えられ、互いの接触面積を減少させる凹状の窪部を有する。【選択図】図１
2017110436.tif 000002
【特許請求の範囲】
【請求項１】
排水を貯留しつつ外部に排出する貯留部を備えた椀と、洗濯機から排出された前記排水を前記貯留部に向かって排出する流路筒と、前記洗濯機から漏洩した前記排水を前記流路筒との間から前記貯留部に向かって排出する封水筒と、を備えた排水トラップに用いる流路ユニットであって、
前記流路筒と前記封水筒との間に配置され、前記洗濯機から漏洩した前記排水を前記貯留部に向かって排出する開口を備えた目皿と、
前記目皿と前記貯留部との間に移動可能に配置され、前記貯留部に貯留された前記排水が前記目皿に向かって逆流したときに、前記目皿に向かって上昇して接触し前記開口を封止するフロートと、
互いに対向する前記目皿および前記フロートの少なくともいずれか一方の側に備えられ、前記目皿と前記フロートとの接触面積を減少させる凹状の窪部と、を有する流路ユニット。
【請求項２】
前記窪部は、前記開口と隣り合う位置に形成されている請求項１に記載の流路ユニット。
【請求項３】
前記窪部は、前記フロートに対向する前記目皿の面に形成されている請求項１または２に記載の流路ユニット。
【請求項４】
前記目皿は、前記流路筒を通す孔が形成され、前記開口が前記孔を囲むように環状に複数形成され、前記窪部が複数の前記開口を横断するように環状に複数形成されている請求項３に記載の流路ユニット。
【請求項５】
排水を貯留しつつ外部に排出する貯留部を備えた椀と、
洗濯機から排出された前記排水を前記貯留部に向かって排出する流路筒と、
前記洗濯機から漏洩した前記排水を前記流路筒との間から前記貯留部に向かって排出する封水筒と、
前記流路筒と前記封水筒との間に配置され、前記洗濯機から漏洩した前記排水を前記貯留部に向かって排出する開口を備えた目皿と、
前記目皿と前記貯留部との間に移動可能に配置され、前記貯留部に貯留された前記排水が前記目皿に向かって逆流したときに、前記目皿に向かって上昇して接触し前記開口を封止するフロートと、
互いに対向する前記目皿および前記フロートの少なくともいずれか一方の側に備えられ、前記目皿と前記フロートとの接触面積を減少させる凹状の窪部と、を有する排水トラップ。
【発明の詳細な説明】
【技術分野】
【０００１】
本発明は、流路ユニットおよび排水トラップに関する。
【背景技術】
【０００２】
従来から、洗濯機を載置する防水パンに取り付けられ、洗濯機から排出される排水を排水管に排出する排水トラップがある（例えば、特許文献１参照。）。この排水トラップには、洗濯機から漏洩した排水を排出する目皿（蓋板）の下方に、排水によって浮上させることができるフロートが配置されている。フロートは、洗濯機から排出された排水が目皿に向かって逆流したときに、その排水と共に上昇して目皿の開口（通し孔）を封止することによって、排水が目皿の開口を通って洗濯機の側に溢れ出すことを防止している。
【先行技術文献】
【特許文献】
【０００３】
【特許文献１】特開２００１−２００５６５号公報
【発明の概要】
【発明が解決しようとする課題】
【０００４】
特許文献１の構成では、洗濯機から排出された排水が目皿に向かって逆流したときに、フロートが表面張力によって目皿に貼り付いてしまう可能性がある。この結果、フロートは、排水の逆流が収まっても、目皿から離間しない虞がある。このような場合、洗濯機から漏洩した排水は、目皿から排出されることなく、防水パンに溢れてしまう。
【０００５】
本発明は、上記の課題を解決するためになされたものであり、洗濯機から排出された排水が洗濯機から漏洩した排水を排出する目皿を通って逆流することを防止し、かつ、排水の逆流が収まった後に洗濯機から漏洩した排水を目皿から安定的に排出することができる流路ユニットおよび排水トラップの提供を目的とする。
【課題を解決するための手段】
【０００６】
上記目的を達成する本発明に係る流路ユニットは、排水を貯留しつつ外部に排出する貯留部を備えた椀と、洗濯機から排出された前記排水を前記貯留部に向かって排出する流路筒と、前記洗濯機から漏洩した前記排水を前記流路筒との間から前記貯留部に向かって排出する封水筒と、を備えた排水トラップに用いる。流路ユニットは、前記流路筒と前記封水筒との間に配置され、前記洗濯機から漏洩した前記排水を前記貯留部に向かって排出する開口を備えた目皿と、前記目皿と前記貯留部との間に移動可能に配置され、前記貯留部に貯留された前記排水が前記目皿に向かって逆流したときに、前記目皿に向かって上昇して接触し前記開口を封止するフロートと、互いに対向する前記目皿および前記フロートの少なくともいずれか一方の側に備えられ、前記目皿と前記フロートとの接触面積を減少させる凹状の窪部と、を有する。
【０００７】
上記目的を達成する本発明に係る排水トラップは、排水を貯留しつつ外部に排出する貯留部を備えた椀と、洗濯機から排出された前記排水を前記貯留部に向かって排出する流路筒と、前記洗濯機から漏洩した前記排水を前記流路筒との間から前記貯留部に向かって排出する封水筒と、前記流路筒と前記封水筒との間に配置され、前記洗濯機から漏洩した前記排水を前記貯留部に向かって排出する開口を備えた目皿と、前記目皿と前記貯留部との間に移動可能に配置され、前記貯留部に貯留された前記排水が前記目皿に向かって逆流したときに、前記目皿に向かって上昇して接触し前記開口を封止するフロートと、互いに対向する前記目皿および前記フロートの少なくともいずれか一方の側に備えられ、前記目皿と前記フロートとの接触面積を減少させる凹状の窪部と、を有する。
【発明の効果】
【０００８】
上記のように構成した流路ユニットおよび排水トラップは、排水が目皿に向かって逆流したときにフロートを目皿に接触させて開口を封止しつつ、互いの接触面積を減少させる窪部によってフロートが目皿に貼り付くことを防止する。したがって、流路ユニットおよび排水トラップは、洗濯機から排出された排水が洗濯機から漏洩した排水を排出する目皿を通って逆流することを防止し、かつ、排水の逆流が収まった後に洗濯機から漏洩した排水を目皿から安定的に排出することができる。
【図面の簡単な説明】
【０００９】
【図１】実施形態に係る流路ユニットを模式的に示す原理図であって、（Ａ）は排水が目皿に向かって逆流していない状態を示す図、（Ｂ）は排水が目皿に向かって逆流している状態を示す図である。
【図２】実施形態に係る流路ユニットを備えた排水トラップを示す側面図である。
【図３】図２の排水トラップを示す断面図である。
【図４】図２の排水トラップを部分的に分解して示す分解斜視図である。
【図５】流路ユニットを構成する目皿を裏面側から示す斜視図である。
【図６】排水トラップの要部（図３の領域６）を簡略化して示す断面図であって、（Ａ）はフロートが降下して封水筒の上端部に載っている状態を示す図、（Ｂ）はフロートが上昇して目皿の裏面に接触しつつ目皿の開口を封止している状態を示す図である。
【発明を実施するための形態】
【００１０】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１１】
まず、流路ユニット１１０を備えた排水トラップ１００の構成について、図１〜図６を参照しながら説明する。
【００１２】
図１は、実施形態に係る流路ユニット１１０を模式的に示す原理図であって、（Ａ）は排水Ｗ３が目皿１０４に向かって逆流していない状態を示す図、（Ｂ）は排水Ｗ３が目皿１０４に向かって逆流している状態を示す図である。図２は、実施形態に係る流路ユニット１１０を備えた排水トラップ１００を示す側面図である。図３は、図２の排水トラップ１００を示す断面図である。図４は、図２の排水トラップ１００を部分的に分解して示す分解斜視図である。図５は、流路ユニット１１０を構成する目皿１０４を裏面側から示す斜視図である。図６は、排水トラップ１００の要部（図３の領域６）を簡略化して示す断面図であって、（Ａ）はフロート１０５が降下して封水筒１０３の上端部１０３ｃに載っている状態を示す図、（Ｂ）はフロート１０５が上昇して目皿１０４の裏面１０４ｃに接触しつつ目皿１０４の開口１０４ｂを封止している状態を示す図である。
【００１３】
流路ユニット１１０は、概説すれば、図１に示すように、排水Ｗを貯留しつつ外部（排水管２１０）に排出する貯留部１０１ｅを備えた椀１０１と、洗濯機２２０から排出された排水Ｗ１を貯留部１０１ｅに向かって排出する流路筒１０２と、洗濯機２２０から漏洩した排水Ｗ２を流路筒１０２との間から貯留部１０１ｅに向かって排出する封水筒１０３と、を備えた排水トラップ１００に用いる。流路ユニット１１０は、流路筒１０２と封水筒１０３との間に配置され、洗濯機２２０から漏洩した排水Ｗ２を貯留部１０１ｅに向かって排出する開口１０４ｂを備えた目皿１０４と、目皿１０４と貯留部１０１ｅとの間に移動可能に配置され、貯留部１０１ｅに貯留された排水Ｗ３が目皿１０４に向かって逆流したときに、目皿１０４に向かって上昇して接触し開口１０４ｂを封止するフロート１０５と、互いに対向する目皿１０４およびフロート１０５の少なくともいずれか一方の側に備えられ、目皿１０４とフロート１０５との接触面積を減少させる凹状の窪部１０４ｄと、を有する。
【００１４】
排水トラップ１００は、概説すれば、図１に示すように、それぞれ前述した椀１０１と、流路筒１０２と、封水筒１０３と、目皿１０４と、フロート１０５と、窪部１０４ｄと、を有する。
【００１５】
排水トラップ１００は、図３に示すように、洗濯機２２０から排出された排水Ｗ１の流路に対応する第１流路Ｌ１、洗濯機２２０から漏洩した排水Ｗ２の流路に対応する第２流路Ｌ２、および椀１０１の貯留部１０１ｅから排水管２１０に向かって排出する排水Ｗの流路に対応する第３流路Ｌ３を有している。第１流路Ｌ１は、排水トラップ１００よりも上流側の流路（例えば洗濯機２２０の排水ホース）を含んでいる。第３流路Ｌ３は、排水トラップ１００よりも下流側の流路（例えば排水管２１０）を含んでいる。
【００１６】
排水トラップ１００は、椀１０１の貯留部１０１ｅが排水Ｗを貯留することによって、その上流側の第１流路Ｌ１の通気と、その下流側の第３流路Ｌ３の通気が遮断される。したがって、排水トラップ１００は、第３流路Ｌ３内の臭気が、第１流路Ｌ１を逆流して洗濯機２２０が配置されている室内等に漏れ出すことを防止できる。
【００１７】
排水トラップ１００は、封水筒１０３が椀１０１の貯留部１０１ｅにおいて流路筒１０２と椀１０１の間の領域を仕切ることによって、その上流側の第２流路Ｌ２の通気と、その下流の第３流路Ｌ３の通気を遮断する。したがって、排水トラップ１００は、第３流路Ｌ３内の臭気が、第２流路Ｌ２を逆流して洗濯機２２０が配置されている室内等に漏れ出すことを防止できる。
【００１８】
椀１０１は、図２〜図４および図６に示し、排水Ｗを貯留しつつ排水管２１０に排出する。
【００１９】
椀１０１は、図３に示すように、上部１０１ａが開口し、かつ、下部１０１ｂが閉塞した椀形状に形成されている。椀１０１の側部１０１ｃには、排水Ｗを排出する開口部１０１ｄが開口している。開口部１０１ｄは、矩形状からなり、側部１０１ｃに複数形成されている。各々の開口部１０１ｄは、側部１０１ｃに沿って同一の高さで形成されている。椀１０１は、下部１０１ｂの底面から開口部１０１ｄの下端までの領域に、排水Ｗを貯留する貯留部１０１ｅを備えている。貯留部１０１ｅは、洗濯機２２０から排出された排水Ｗ１および洗濯機２２０から漏洩した排水Ｗ２を、それぞれ貯留する。貯留部１０１ｅの排水Ｗは、開口部１０１ｄの下端の水位を超えると、その開口部１０１ｄから筐体１０８に排出される。
【００２０】
流路筒１０２は、図２〜図４および図６に示し、洗濯機２２０から排出された排水Ｗ１を椀１０１の貯留部１０１ｅに向かって排出する。
【００２１】
流路筒１０２は、図３に示すように、円筒形状に形成され、上部１０２ａから下部１０２ｂにかけて垂直に伸長している。下部１０２ｂには、径方向外方に向かって延びた円盤状の下端部１０２ｃが一体的に形成されている。下端部１０２ｃは、椀１０１の下部１０１ｂから離間した状態において、椀１０１の貯留部１０１ｅに配置されている。流路筒１０２は、洗濯機２２０から排出された排水Ｗ１を、上部１０２ａから下部１０２ｂに向かって排出しつつ、椀１０１の貯留部１０１ｅに排出する。
【００２２】
封水筒１０３は、図２〜図４および図６に示し、洗濯機２２０から漏洩した排水Ｗ２を流路筒１０２との間から椀１０１の貯留部１０１ｅに向かって排出する。
【００２３】
封水筒１０３は、図３に示すように、円筒形状に形成され、上部１０３ａから下部１０３ｂにかけて垂直に伸長している。上部１０３ａは、上方に向かって径方向外方に緩やかに傾斜している。上部１０３ａには、径方向外方に向かって延びた円盤状の上端部１０３ｃが一体的に形成されている。封水筒１０３は、椀１０１と流路筒１０２の間に挿入されている。封水筒１０３は、その下部１０３ｂを椀１０１の貯留部１０１ｅに配置することによって、流路筒１０２と椀１０１の間の領域を仕切っている。封水筒１０３の下部１０３ｂは、流路筒１０２の下端部１０２ｃに対向し、その下端部１０２ｃから離間した状態で配置されている。洗濯機２２０から漏洩した排水Ｗ２は、封水筒１０３の下部１０３ｂと、流路筒１０２の下端部１０２ｃの隙間を通って、椀１０１の貯留部１０１ｅに排出される。
【００２４】
目皿１０４は、図２〜図６に示し、洗濯機２２０から漏洩した排水Ｗ２を流路筒１０２と封水筒１０３の間から椀１０１の貯留部１０１ｅに向かって排出する。
【００２５】
目皿１０４は、図３および図６に示すように、流路筒１０２の上部１０２ａの外周と、封水筒１０３の上端部１０３ｃの間を繋ぐように円盤形状に形成されている。目皿１０４は、図４に示すように、その中心部分に流路筒１０２を挿入する円形状の孔１０４ａが形成されている。目皿１０４は、洗濯機２２０から漏洩した排水Ｗ２を椀１０１の貯留部１０１ｅに向かって排出する開口１０４ｂが、孔１０４ａを囲むように環状に複数形成されている。目皿１０４は、図５に示すように、フロート１０５との接触面積を減少させる凹状の窪部１０４ｄが、フロート１０５に対向する裏面１０４ｃに形成されている。窪部１０４ｄは、複数の開口１０４ｂを横断するように跨いで、各々の開口１０４ｂと隣り合って環状に複数形成されている。目皿１０４は、図５に示すように、裏面１０４ｃの外周縁から下方に突出して側壁１０４ｅを形成し、その側壁１０４ｅの底部に下端面１０４ｆが形成されている。
【００２６】
フロート１０５は、図２〜図４および図６に示し、椀１０１の貯留部１０１ｅに貯留された排水Ｗ３が目皿１０４に向かって逆流したときに、目皿１０４の開口１０４ｂを封止する。
【００２７】
フロート１０５は、図４に示すように、リング状に形成され、排水Ｗに浮くことが可能な程度に軽量な材質から構成されている。フロート１０５の内周面１０５ａの形状は、図６に示すように、流路筒１０２の上部１０２ａの外周よりも一回り大きい。フロート１０５の外周面１０５ｂの形状は、下部パッキン１０６の内周面１０６ｃよりも若干小さい。フロート１０５は、目皿１０４と封水筒１０３の隙間において、上下方向に移動可能に配置されている。フロート１０５は、上面１０５ｃおよび下面１０５ｄが平らである。フロート１０５は、降下すると、その下面１０５ｄが封水筒１０３の上端部１０３ｃに接触して停止する。フロート１０５は、上昇すると、その上面１０５ｃが目皿１０４の裏面１０４ｃに接触して停止する。
【００２８】
下部パッキン１０６は、図３と図４および図６に示し、目皿１０４と封水筒１０３の隙間を密封する。
【００２９】
下部パッキン１０６は、図３に示すように、リング状に形成され、変形可能な材料から構成されている。下部パッキン１０６は、図３および図６に示すように、上面１０６ａおよび下面１０６ｂが平らである。下部パッキン１０６の上面１０６ａは、目皿１０４の下端面１０４ｆに密着している。下部パッキン１０６の下面１０６ｂは、封水筒１０３の上端部１０３ｃに密着している。下部パッキン１０６の内周面１０６ｃは、図６に示すように、フロート１０５の径方向に沿った外形形状よりも大きい。下部パッキン１０６は、目皿１０４に向かって逆流した排水Ｗ３が第２流路Ｌ２内に充満した場合に、その排水Ｗ３が目皿１０４と封水筒１０３の隙間から洗濯機２２０の側に漏れ出さないようにしている。
【００３０】
上部パッキン１０７は、図２〜図４および図６に示し、目皿１０４と流路筒１０２の隙間を密封する。
【００３１】
上部パッキン１０７は、図３および図４に示すように、リング状に形成され、伸縮可能な材料から構成されている。上部パッキン１０７の外周面１０７ａには、図３および図６に示すように、周方向に沿って凹状の溝が形成されている。上部パッキン１０７の外周面１０７ａは、凹状の溝によって目皿１０４の孔１０４ａの内周面を被覆しつつ、目皿１０４に密着している。上部パッキン１０７の内周面１０７ｂは、流路筒１０２の外周に密着している。上部パッキン１０７は、目皿１０４に向かって逆流した排水Ｗ３が第２流路Ｌ２内に充満した場合に、その排水Ｗ３が目皿１０４と流路筒１０２の隙間から洗濯機２２０の側に漏れ出さないようにしている。
【００３２】
筐体１０８は、図２〜図４に示し、排水トラップ１００を構成する椀１０１等を収容している。
【００３３】
筐体１０８は、図４に示すように、上部１０８ａが開口し、かつ、下部１０８ｂが閉塞した椀形状に形成されている。筐体１０８の側部１０８ｃには、椀１０１から溢れ出した排水Ｗを排水管２１０に排出する円筒形状の排出部１０８ｄが一体に形成されている。筐体１０８は、トラップ本体と称され、洗濯機２２０を載置する防水パンに取り付けられる。
【００３４】
継手１０９は、図２〜図４および図６に示し、洗濯機２２０から排出された排水Ｗ１を流路筒１０２に向かって排出する。
【００３５】
継手１０９は、図４に示すように、円筒形状に形成され、上部１０９ａから下部１０９ｂにかけてＬ字状に屈曲している。上部１０９ａは、洗濯機２２０の排水ホースを挿入する。下部１０９ｂは、図３に示すように、流路筒１０２の上部１０２ａに挿入されている。
【００３６】
つぎに、流路ユニット１１０を備えた排水トラップ１００の動作について、前述した図３および図６を参照しながら説明する。
【００３７】
図３および図６（Ａ）に示すように、椀１０１の貯留部１０１ｅに貯留された排水Ｗ３が目皿１０４に向かって逆流していない場合、フロート１０５の下面１０５ｄが、封水筒１０３の上端部１０３ｃに載置されている。このような場合、洗濯機２２０から漏洩した排水Ｗ２は、目皿１０４の開口１０４ｂを通った後、フロート１０５の内周面１０５ａと流路筒１０２の外周の隙間を通って、椀１０１の貯留部１０１ｅに排出される。
【００３８】
一方、図６（Ｂ）に示すように、椀１０１の貯留部１０１ｅに貯留された排水Ｗ３が目皿１０４に向かって逆流している場合、フロート１０５の上面１０５ｃが、目皿１０４の裏面１０４ｃに接触している。フロート１０５は、排水Ｗ３が目皿１０４に向かって逆流したときに、その排水Ｗ３と共に目皿１０４に向かって上昇して、目皿１０４の裏面１０４ｃに接触することによって、目皿１０４の開口１０４ｂを封止する。フロート１０５は、排水Ｗ３に含まれる洗濯泡によっても押圧されて上昇する。フロート１０５が目皿１０４を封止していることから、目皿１０４に向かって逆流した排水Ｗ３が、洗濯機２２０を載置した室内側に溢れ出すことがない。
【００３９】
ここで、フロート１０５は、目皿１０４に向かう排水Ｗ３の逆流が収まり、排水Ｗ３による上方への押圧が解除されると、目皿１０４の裏面１０４ｃから離間して落下する。目皿１０４は、フロート１０５との接触面積を減少させる凹状の窪部１０４ｄによって、その目皿１０４の裏面１０４ｃとフロート１０５の上面１０５ｃの間に空気層を発生させている。この結果、目皿１０４の窪部１０４ｄは、フロート１０５と目皿１０４の間における表面張力を低減させることができる。
【００４０】
さらに、目皿１０４は、フロート１０５が接触している状態（フロート１０５によって塞がれている状態）において、開口１０４ｂと窪部１０４ｄが連通した状態になる。したがって、洗濯機２２０から漏洩した排水Ｗ２は、目皿１０４の窪部１０４ｄとフロート１０５の上面１０５ｃの間に溜り、その重みによってフロート１０５を下方に押圧することができる。
【００４１】
このようにして、フロート１０５は、目皿１０４に向かう排水Ｗ３の逆流（上昇流）が収まった後に、目皿１０４の裏面１０４ｃに貼り付いたままになることなく落下して、目皿１０４の開口１０４ｂを開放することができる。この結果、排水トラップ１００は、排水Ｗ３の逆流を防止した後、洗濯機２２０から漏洩した排水Ｗ２を、目皿１０４の開口１０４ｂから椀１０１の貯留部１０１ｅに向かって排出することができる。
【００４２】
上述した実施形態に係る流路ユニット１１０および排水トラップ１００によれば、以下の構成によって作用効果を奏する。
【００４３】
流路ユニット１１０は、排水Ｗを貯留しつつ排水管２１０に排出する貯留部１０１ｅを備えた椀１０１と、洗濯機２２０から排出された排水Ｗ１を貯留部１０１ｅに向かって排出する流路筒１０２と、洗濯機２２０から漏洩した排水Ｗ２を流路筒１０２との間から貯留部１０１ｅに向かって排出する封水筒１０３と、を備えた排水トラップ１００に用いる。流路ユニット１１０は、流路筒１０２と封水筒１０３との間に配置され、洗濯機２２０から漏洩した排水Ｗ２を貯留部１０１ｅに向かって排出する開口１０４ｂを備えた目皿１０４と、目皿１０４と貯留部１０１ｅとの間に移動可能に配置され、貯留部１０１ｅに貯留された排水Ｗ３が目皿１０４に向かって逆流したときに、目皿１０４に向かって上昇して接触し開口１０４ｂを封止するフロート１０５と、互いに対向する目皿１０４およびフロート１０５の少なくともいずれか一方の側に備えられ、目皿１０４とフロート１０５との接触面積を減少させる凹状の窪部１０４ｄと、を有する。
【００４４】
排水トラップ１００は、排水Ｗを貯留しつつ排水管２１０に排出する貯留部１０１ｅを備えた椀１０１と、洗濯機２２０から排出された排水Ｗ１を貯留部１０１ｅに向かって排出する流路筒１０２と、洗濯機２２０から漏洩した排水Ｗ２を流路筒１０２との間から貯留部１０１ｅに向かって排出する封水筒１０３と、流路筒１０２と封水筒１０３との間に配置され、洗濯機２２０から漏洩した排水Ｗ２を貯留部１０１ｅに向かって排出する開口１０４ｂを備えた目皿１０４と、目皿１０４と貯留部１０１ｅとの間に移動可能に配置され、貯留部１０１ｅに貯留された排水Ｗ３が目皿１０４に向かって逆流したときに、目皿１０４に向かって上昇して接触し開口１０４ｂを封止するフロート１０５と、互いに対向する目皿１０４およびフロート１０５の少なくともいずれか一方の側に備えられ、目皿１０４とフロート１０５との接触面積を減少させる凹状の窪部１０４ｄと、を有する。
【００４５】
このように構成した流路ユニット１１０および排水トラップ１００は、排水Ｗ３が目皿１０４に向かって逆流したときにフロート１０５を目皿１０４に接触させて開口１０４ｂを封止しつつ、互いの接触面積を減少させる窪部１０４ｄによってフロート１０５が目皿１０４に貼り付くことを防止する。したがって、流路ユニット１１０および排水トラップ１００は、洗濯機２２０から排出された排水Ｗ１が洗濯機２２０から漏洩した排水Ｗ２を排出する目皿１０４を通って逆流することを防止し、かつ、排水Ｗ３の逆流が収まった後に洗濯機２２０から漏洩した排水Ｗ２を目皿１０４から安定的に排出することができる。
【００４６】
特に、流路ユニット１１０において、フロート１０５は、従来の排水トラップの目皿と封水筒の隙間に配置することができる程度に厚みが薄い。したがって、流路ユニット１１０は、既存の排水トラップに取り付けて使用することが可能であることから、非常に汎用性が高い。
【００４７】
さらに、窪部１０４ｄは、開口１０４ｂと隣り合う位置に形成されている。
【００４８】
このような構成によれば、洗濯機２２０から漏洩した排水Ｗ２を目皿１０４の開口１０４ｂから排出するときに、その排水Ｗ２を開口１０４ｂから隣り合う窪部１０４ｄに誘導することができる。目皿１０４の窪部１０４ｄとフロート１０５の上面１０５ｃの間に溜った排水Ｗ２は、その自重によってフロート１０５を下方に押圧することができる。したがって、フロート１０５は、目皿１０４に向かう排水Ｗ３の逆流（上昇流）が収まった後に、窪部１０４ｄに溜った排水Ｗ２の自重によって落下し易くなることから、目皿１０４の開口１０４ｂを容易に開放することができる。
【００４９】
さらに、窪部１０４ｄは、フロート１０５に対向する目皿１０４の裏面１０４ｃに形成されている。
【００５０】
このような構成によれば、一例として、窪部１０４ｄの有無が製造コストに殆ど影響しない射出成型によって目皿１０４を従来通りに製造するとともに、平坦な板状の基材をリング状に打ち抜くことによってフロート１０５を廉価に製造することができる。
【００５１】
さらに、目皿１０４は、流路筒１０２を通す孔１０４ａが形成され、開口１０４ｂが孔１０４ａを囲むように環状に複数形成され、窪部１０４ｄが複数の開口１０４ｂを横断するように環状に複数形成されている。
【００５２】
このような構成によれば、複数の開口１０４ｂを横断する複数の窪部１０４ｄによって、洗濯機２２０から漏洩した排水Ｗ２をフロート１０５との間に多量に溜めることができ、その多量の排水Ｗ２の自重によってフロート１０５を更に落下させ易くすることができる。
【００５３】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【００５４】
例えば、実施形態では、目皿１０４とフロート１０５の接触面積を減少させる凹状の窪部１０４ｄを、目皿１０４に備える構成として説明したが、このような構成に限定されることはない。窪部は、フロート１０５に備える構成としてもよい。また、窪部は、目皿１０４とフロート１０５にそれぞれ備える構成としてもよい。
【符号の説明】
【００５５】
１００    排水トラップ、
１０１    椀、
１０１ｅ  貯留部、
１０２    流路筒、
１０３    封水筒、
１０４    目皿、
１０４ａ  孔、
１０４ｂ  開口、
１０４ｃ  裏面、
１０４ｄ  窪部、
１０５    フロート、
１０６    下部パッキン、
１０６ｃ  内周面、
１０７    上部パッキン、
１０８    筐体、
１０９    継手、
１１０    流路ユニット、
２１０    排水管、
２２０    洗濯機、
Ｌ１      第１流路（洗濯機２２０から排出された排水Ｗ１の流路）
Ｌ２      第２流路（洗濯機２２０から漏洩した排水Ｗ２の流路）
Ｌ３      第３流路（椀１０１の貯留部１０１ｅから排水管２１０向かって排出する排水Ｗの流路）
Ｗ        排水、
Ｗ１      （洗濯機２２０から排出されて椀１０１の貯留部１０１ｅに向かう）排水、
Ｗ２      （洗濯機２２０から漏洩して椀１０１の貯留部１０１ｅに向かう）排水、
Ｗ３      （椀１０１の貯留部１０１ｅから目皿１０４に向かって逆流する）排水。
【図１】
2017110436.tif 000003
【図２】
2017110436.tif 000004
【図３】
2017110436.tif 000005
【図４】
2017110436.tif 000006
【図５】
2017110436.tif 000007
【図６】
2017110436.tif 000008